(57)【要約】【課題】慶事用には濃いインクを、弔事用には淡いインクを使い分けて用いることができる２色タイプの慶弔用スタンプ台を提供する。【解決手段】左右横長の四角形状に形成されて、上面が開口する容器本体１と、容器本体１に付設されて、容器本体１の開口上面を開閉自在に閉じる蓋体２とを備えている。容器本体１内の前後方向のほぼ中央部位には、仕切り部材３が左右間にわたって設けられている。容器本体１内は、仕切り部材３で前後の第１収納室４と第２収納室５とに区分する。第１収納室４には濃墨インクを含浸する濃墨パッド６が、第２収納室５には、薄墨インクを含浸する薄墨パッド７がそれぞれ収容されている。薄墨パッド７の外表面には、濃墨パッド６との違いを識別するための識別表示手段８として、「うす墨」の文字を入れてある。【選択図】図１
0003108362.tif 000002
【実用新案登録請求の範囲】
【請求項１】
左右横長の四角形状に形成されて、上面が開口する容器本体（１）と、
容器本体（１）に付設されて、容器本体（１）の開口上面を開閉自在に閉じる蓋体（２）とを備えており、
容器本体（１）内の前後方向のほぼ中央部位に、仕切り部材（３）が左右間にわたって設けられていて、容器本体（１）内が仕切り部材（３）で前後の第１収納室（４）と第２収納室（５）とに区分されており、
第１収納室（４）と第２収納室（５）とには、その一方に濃墨インクを含浸する濃墨パッド（６）が、他方に薄墨インクを含浸する薄墨パッド（７）がそれぞれ収容されており、
濃墨パッド（６）と薄墨パッド（７）との少なくとも一方の外表面に、両者（６）・（７）の濃淡を識別するための識別表示手段（８）が施されていることを特徴とする慶弔用スタンプ台。
【請求項２】
前記識別表示手段（８）として、薄墨パッド（７）の外表面に、「うす墨」の文字を入れてある請求項１記載の慶弔用スタンプ台。
【請求項３】
仕切り部材（３）が、液含浸性を有する多孔質の弾性スポンジ材で形成されている請求項１または２記載の慶弔用スタンプ台。
【請求項４】
仕切り部材（３）の上面が、濃墨パッド（６）の上面および薄墨パッド（７）の上面よりも下方に位置している請求項３記載の慶弔用スタンプ台。
【考案の詳細な説明】
【技術分野】
【０００１】
慶事用袋（祝袋）や、弔事用袋（香典袋など）には、社名や人名などがゴム印判で捺印されることがある。その場合、慶事用袋の印影は濃く、弔事用袋の印影は淡くするのが一般的である。
本考案は、慶事用と弔事用とで用いるゴム印判のインクを濃淡に使い分けることができる慶弔用スタンプ台に関する。
【背景技術】
【０００２】
本考案に係る慶弔用スタンプ台は、
（１）左右横長の四角形状に形成されて、上面が開口する容器本体１と、容器本体１に付設されて、容器本体１の開口上面を開閉自在に閉じる蓋体２とを備えており、
（２）容器本体１内の前後方向のほぼ中央部位に、仕切り部材３が左右間にわたって設けられていて、容器本体１内が仕切り部材３で前後の第１収納室４と第２収納室５とに区分されており、
（３）第１収納室４と第２収納室５とには、その一方に濃墨インクを含浸する濃墨パッド６が、他方に薄墨インクを含浸する薄墨パッド７がそれぞれ収容されている。
【０００３】
かかるスタンプ台の基本形態は、例えば実開昭５８−６９４６１号公報や実開昭６３−１９４７６３号公報などに開示され、上記（３）の構成も一応予測されてはいる。
【０００４】
しかし、従来のスタンプ台の基本的な考え方は、例えば赤色と墨色のインクをそれぞれ含浸したパッドを収容することが前提になっており、慶弔用に特化されていない。
【０００５】
すなわち、慶弔用に特化しようとすると、共に墨色のインクを用い、濃淡の差をつけることになる。その場合に、ひとつのスタンプ台に濃墨インクの含浸パッドと、薄墨インクの含浸パッドとを同一平面上に並べてセットしたとき、使用者はゴム印判の印面を押し付けるべき含浸パッドの選択を間違えやすい。
【考案の開示】
【考案が解決しようとする課題】
【０００６】
そこで本考案の目的は、ゴム印判の押し間違えがない、慶弔両用スタンプ台を提供するにある。
【課題を解決するための手段】
【０００７】
請求項１記載の本考案に係る慶弔用スタンプ台は、図１および図２に示すごとく、左右横長の四角形状に形成されて、上面が開口する容器本体１と、容器本体１に付設されて、容器本体１の開口上面を開閉自在に閉じる蓋体２とを備えている。
容器本体１内の前後方向のほぼ中央部位には、仕切り部材３が左右間にわたって設けられていて、容器本体１内が仕切り部材３で前後の第１収納室４と第２収納室５とに区分されており、第１収納室４と第２収納室５とには、その一方に濃墨インクを含浸する濃墨パッド６が、他方に薄墨インクを含浸する薄墨パッド７がそれぞれ収容されている。かくして、濃墨パッド６と薄墨パッド７との少なくとも一方の外表面に、両者６・７の濃淡を識別するための識別表示手段８が施されていることを特徴とする。
【０００８】
請求項２記載の本考案は、請求項１記載の前記識別表示手段８として、薄墨パッド７の外表面に、「うす墨」を示す文字を入れてある。ここでの「うす墨」の文字は、濃淡を識別する趣旨であるから、例えば「濃墨」、「うすずみ」や「ウスズミ」のような表示態様であっても構わない。
【０００９】
請求項３記載の本考案は、請求項１または２記載の慶弔用スタンプ台において、仕切り部材３が液含浸性を有する多孔質の弾性スポンジ材で形成されている。
【００１０】
請求項４記載の本考案は、請求項３記載の仕切り部材３の上面が、濃墨パッド６の上面および薄墨パッド７の上面よりも下方に位置している。
【考案の効果】
【００１１】
請求項１記載の本考案に係る慶弔用スタンプ台によれば、識別表示手段８を見ながら、慶時にはゴム印判の印面を濃墨パッド６に押し付け、弔時には同じゴム印判の印面を薄墨パッド７に違うことなく押し付けることができる。
【００１２】
容器本体１は、もともと左右横長であるところ、更に仕切り部材３で内部が前後に二分されている。したがって、容器本体１のコンパクト化を図りながらも、多くが左右横長のゴム印判（横書き用か縦書き用かを問わない）の印面を濃墨パッド６と薄墨パッド７とに支障なく全面的に押し付けて、余すところなくインクを付着させることができる。濃墨パッド６と薄墨パッド７とは、墨色インクに濃淡があるだけであるから、ゴム印判を濃墨パッド６と薄墨パッド７とに交互に接触させても、使用上において一切の障害を生じることはない。
【００１３】
請求項２記載の本考案によれば、薄墨パッド７にはこれの外表面に「うす墨」の文字を直接に印刷表示などで入れてあるので、濃墨パッド６と簡単に見分けることができ、ゴム印判の押し間違えがない。
【００１４】
請求項３記載の本考案にでは、仕切り部材３が液含浸性を有する多孔質の弾性スポンジ材で形成されている。これによれば、各パッド６・７にゴム印判を強く押し付け過ぎてインクが該当のパッドから滲み出ても、その滲出インクは仕切り部材３で吸収するので、周りを汚すことがないし、過剰に付着のインクで印影がベタつくこともない。
【００１５】
請求項４記載の本考案によれば、仕切り部材３の上面が濃墨パッド６および薄墨パッド７の両上面よりも下方に沈んで位置しているので、ゴム印判の印面を各パッド６・７の外表面に先当たり接触させることができる。仕切り部材３が強性スポンジ材で形成されていることも相まって、仮に印面が広面積のゴム印判を用いて仕切り部材３を跨ぐ使用状態になっても、その印面を傷付けることがない。仕切り部材３が邪魔になることもない。
【実施例】
【００１６】
本考案の慶弔用スタンプ台は、全体が左右横長の四角形状に形成されて上面が開口する浅皿状の容器本体１と、容器本体１の上面を開閉自在に閉じる蓋体２とからなる。容器本体１と蓋体２とは、いずれもがプラスチック成形品である。蓋体２は、容器本体１の後端にヒンジ９を介して開閉回動自在に枢結されている。容器本体１は、前後幅寸法を８５mm、左右横長寸法を１２５mm、上下高さ寸法を１５mmに設定した。
【００１７】
容器本体１内の前後方向の中央部位には、仕切り部材３を左右間にわたって設け、この仕切り部材３で容器本体１内を前後の第１収納室４と第２収納室５とに区画してある。仕切り部材３は、液含浸性を有する多孔質の弾性スポンジ材で形成されており、これの下面側が容器本体１の内底に接着剤で接着固定されている。
【００１８】
かくして、前側の第１収納室４には、濃色インクを含浸する濃墨パッド６を収容する一方、後ろ側の第２収納室５には、薄墨インクを含浸する薄墨パッド７を収容する。これら各パッド６・７も、それぞれの下面を容器本体１の内底に接着剤で固定してある。
【００１９】
本考案は、かかるスタンプ台において、薄墨パッド７の外表面の適所、図示側では右端寄り部位に、濃淡の識別表示手段８として、「うす墨」の文字を白字で印刷表示した点に特徴を有する。
【００２０】
図２において、仕切り部材３の上面は容器本体１内において、濃墨パッド６および薄墨パッド７の各上面よりも僅かに沈んだ下方に位置している。
【００２１】
かかる本案スタンプ台の使用に際しては、蓋体２を開ければ容器本体１内に分割配置した濃墨パッド６と薄墨パッド７とが「うす墨」の文字を一見するだけで識別できる。したがって、とくに弔時用の香典袋などには、社名または氏名を押印するためのゴム印判を薄墨パッド７を用いて、薄墨で捺印できる。仕切り部材３で各パッド６・７の濃淡のインクが混じり合うのを長期にわたって防止できるし、仕切り部材３で各パッド６・７から滲み出たインクを吸収することができる。
【００２２】
図示例の全容は以上のようになっているが、例えば蓋体２は容器本体１の左右の一側壁に開閉回動自在に連結されていてもよいし、容器本体１から蓋体２が取り外せる形態でもよい。
【００２３】
識別表示手段８としては、濃墨パッド６の外表面に先の「うす墨」の文字と共に、又は単独で例えば「濃墨」の文字（これに観念上相当する文字の全てを含む）を適当な手段で表示してあってもよい。濃墨パッド６と薄墨パッド７との位置が前後に入れ替わっていてもよいことは言うまでもない。
【図面の簡単な説明】
【００２４】
【図１】全体の外観斜視図
【図２】要部の縦断側面図
【符号の説明】
【００２５】
１  容器本体
２  蓋体
３  仕切り部材
４  第１収納室
５  第２収納室
６  濃墨パッド
７  薄墨パッド
８  識別表示手段
【図１】
0003108362.tif 000003
【図２】
0003108362.tif 000004